(57)【要約】      （修正有）【課題】刷版の交換を短時間に行うことができる、間欠輪転オフセット印刷装置。【解決手段】版胴本体３５に刷版３６の巻き始め端３６ａを固定してこの版胴本体３５に刷版３６を巻いていき刷版３６に緊張を与えて巻き終わり端３６ｂを版胴本体３５に固定する間欠輪転オフセット印刷装置において、版胴本体３５の一側に版胴本体円Ｓよりも所要凹んでいる刷版固定部３５aを形成し、この刷版固定部３５aの一側に刷版３６の巻き始め端３６aを固定する第１固定手段５０を設け、この第１固定手段５０は、版胴本体３５の一母線方向に離れた複数の位置決めピン５３を有し、この位置決めピン５３に刷版３６の巻き始め端３６ａに形成した複数の位置決め用切り欠きを係合させて位置決めする刷版３６の巻き始め端３６ａを固定する。【選択図】図４
0003125749.tif 000002
【実用新案登録請求の範囲】
【請求項１】
版胴本体に刷版の巻き始め端を固定してこの版胴本体に刷版を巻いていき刷版に緊張を与えて巻き終わり端を版胴本体に固定する間欠輪転オフセット印刷装置において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
前記第１固定手段は、前記版胴本体の一母線方向に離れた複数の位置決めピンを有し、この位置決めピンに前記刷版の巻き始め端に形成した複数の位置決め用切り欠きを係合させて位置決めする前記刷版の巻き始め端を固定するように構成されていることを特徴とする間欠輪転オフセット印刷装置。
【請求項２】
版胴本体に刷版の巻き始め端を固定してこの版胴本体に刷版を巻いていき刷版に緊張を与えて巻き終わり端を版胴本体に固定する間欠輪転オフセット印刷装置において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
前記第１固定手段は、前記刷版固定部の平滑面と、この平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記刷版の巻き始め端を前記爪と前記平滑面とで挟圧して固定するように構成されていることを特徴とする間欠輪転オフセット印刷装置。
【請求項３】
版胴本体に刷版の巻き始め端を固定してこの版胴本体に刷版を巻いていき刷版に緊張を与えて巻き終わり端を版胴本体に固定する間欠輪転オフセット印刷装置において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
前記第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成されていることを特徴とする間欠輪転オフセット印刷装置。
【請求項４】
版胴本体に刷版の巻き始め端を固定してこの版胴本体に刷版を巻いていき刷版に緊張を与えて巻き終わり端を版胴本体に固定する間欠輪転オフセット印刷装置用版胴において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
前記第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成されていることを特徴とする間欠輪転オフセット印刷装置用版胴。
【考案の詳細な説明】
【技術分野】
【０００１】
本考案は、ラベル印刷、その他印刷方向の長さ（リピート長）が極めて短い印刷に適した間欠輪転オフセット印刷装置及び間欠輪転オフセット印刷装置用版胴に関する。
【背景技術】
【０００２】
従来、間欠輪転オフセット印刷装置における版胴における刷版の取り付け構造は、前記版胴に設けられていて前記版胴に巻かれる刷版の巻き始め端を固定する第１固定手段と、前記版胴に設けられていて前記第１固定手段で前記刷版の巻き始め端を固定した後に前記刷版の巻き終わり端を支持して前記刷版に緊張を与えて前記版胴に巻き付いた状態に固定する第２固定手段とを備えてなる。この構造は、従来のオフセット印刷装置の場合と同一である。
【０００３】
図５は、従来のオフセット印刷装置における版胴における刷版の取り付け構造を示す（特許文献１参照）。
図５に示す版胴１０は、内軸１１と外筒１２とを一体に固定してなる二重軸構造である。外筒１２は、周方向の１ヶ所が母線方向に細いスリットを有しこのスリットに臨む一端が４５°の内方傾斜面を有する楔状端縁部１２ａとなっていて、この楔状端縁部１２ａが第１固定手段となっている。内軸１１は、外筒１２のスリットに対応下位置に凹部１１ａを有していて、この凹部１１ａに第２固定手段であるリールロッド１３を備えている。
刷版１４は、巻き始め端と巻き終わり端をそれぞれ版胴１０への巻き付け面側に４５°の鋭角に折り返し加工を施して第１引掛け部１４ａ及び第２引掛け部１４ｂとして、第１引掛け部１４ａを外軸１２の楔状端縁部１２ａに引掛け、次いで刷版１４を版胴１０へ巻き付けていき、刷版１４の巻き終わり端を４５°になるように鋭角に折り返し加工して第２引掛け部１４ｂをリールロッド１３のスリットに差し込んでから、刷版１４を巻き取る方向にリールロッド１３を回動させて刷版１４に緊張を与えて外筒１２に密着状態に巻き付けた状態にしていた。
間欠輪転オフセット印刷装置においても、図６に示す刷版の取り付け構造と同一である。
【特許文献１】特表２０００−５０８９８３号公報  図６
【考案の開示】
【考案が解決しようとする課題】
【０００４】
間欠輪転オフセット印刷装置によるラベル印刷において、版胴における刷版の位置決めは、版胴の周方向及び母線方向のずれをそれぞれ約１０ミクロン以下に抑える必要があり、ずれが大きくなると、重ね刷り印刷にずれが生じて印刷の品質が低下することになる。従って、刷版の位置決めは、時間をかけても正確に行われている。近年、刷版を自動的に交換するようにした刷版自動交換装置が種々提案されているが、実用に至っていない。
図６に示す従来の刷版の取り付け構造は、刷版を精密に位置決めすることが難しく、刷版の交換に時間がかかっていたので、印刷装置の稼働率を上げることができなかった。従って、小ロットの印刷ニーズに対応させて印刷コストを抑えるために、印刷装置の稼働率を上げる改善が要望されていた。
【０００５】
本考案の目的は、上述した点に鑑みなされたものであり、刷版の交換を短時間に行うことができて、小ロットの印刷ニーズに合わせて印刷装置の稼働率を上げることができる、間欠輪転オフセット印刷装置及び間欠輪転オフセット印刷装置用版胴を提供することにある。
【課題を解決するための手段】
【０００６】
上記目的を達成するため、本考案の間欠輪転オフセット印刷装置は、版胴本体に刷版の巻き始め端を固定してこの版胴本体に刷版を巻いていき刷版に緊張を与えて巻き終わり端を版胴本体に固定する間欠輪転オフセット印刷装置において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、前記第１固定手段は、前記版胴本体の一母線方向に離れた複数の位置決めピンを有し、この位置決めピンに前記刷版の巻き始め端に形成した複数の位置決め用切り欠きを係合させて位置決めする前記刷版の巻き始め端を固定するように構成されていることを特徴とする。
上記構成によれば、位置決めピンに前記刷版の巻き始め端に形成した複数の位置決め用切り欠きを係合させて位置決めする前記刷版の巻き始め端を固定するので、刷版の位置合わせを極めて正確に簡単にできるから、刷版の交換を短時間に行うことができて、小ロットの印刷ニーズに合わせて印刷装置の稼働率を上げることができる。
【０００７】
本考案の他の間欠輪転オフセット印刷装置は、版胴本体に刷版の巻き始め端を固定してこの版胴本体に刷版を巻いていき刷版に緊張を与えて巻き終わり端を版胴本体に固定する間欠輪転オフセット印刷装置において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、前記刷版固定部の一側に刷版の巻き始め端を固定する第１固定手段を設け、この第１固定手段は、前記刷版固定部の平滑面と、この平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記刷版の巻き始め端を前記爪と前記平滑面とで挟圧して固定するように構成されていることを特徴とする。
上記構成によれば、刷版の巻き始め端には折り曲げ加工を施さずに複数の位置決め用切り欠きを形成し、この位置決め用切り欠きを位置決めピンに係合させて位置決めを行い、刷版の巻き始め端を爪と平滑面とで挟圧して固定するので、刷版の位置合わせを極めて正確に簡単にできるから、刷版の交換を短時間に行うことができて、小ロットの印刷ニーズに合わせて印刷装置の稼働率を上げることができる。
【０００８】
本考案の他の間欠輪転オフセット印刷装置は、版胴本体に刷版の巻き始め端を固定してこの版胴本体に刷版を巻いていき刷版に緊張を与えて巻き終わり端を版胴本体に固定する間欠輪転オフセット印刷装置において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、前記刷版固定部の一側に刷版の巻き始め端を固定する第１固定手段を設け、この第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成されていることを特徴とする。
上記構成によれば、刷版の巻き始め端には折り曲げ加工を施さずに複数の位置決め用切り欠きを形成し、この位置決め用切り欠きを位置決めピンに係合させて位置決めを行い、刷版の巻き始め端を爪と平滑面とで挟圧して固定するので、刷版の位置合わせを極めて正確に簡単にできるから、刷版の交換を短時間に行うことができて、小ロットの印刷ニーズに合わせて印刷装置の稼働率を上げることができる。また、段差凸部と爪とで刷版の巻き始め端に段差部を折り曲げ形成して刷版の巻き始め端を爪と平滑面とで挟圧して固定する構成であるので、刷版の巻き始め端の固定を無理なく極めて強固に確実に行えるから、刷版の巻き終わり端を版胴本体に固定する際に刷版を版胴本体に巻き付けるために刷版を巻き終わり端側で引っ張って刷版に十分な緊張を与えても刷版の巻き始め端の固定がずれることがない。
【０００９】
本考案の間欠輪転オフセット印刷装置用版胴は、版胴本体に刷版の巻き始め端を固定してこの版胴本体に刷版を巻いていき刷版に緊張を与えて巻き終わり端を版胴本体に固定する間欠輪転オフセット印刷装置用版胴において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、前記刷版固定部の一側に刷版の巻き始め端を固定する第１固定手段を設け、この第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成されていることを特徴とする。
上記構成によれば、刷版の巻き始め端には折り曲げ加工を施さずに複数の位置決め用切り欠きを形成し、この位置決め用切り欠きを位置決めピンに係合させて位置決めを行い、刷版の巻き始め端を爪と平滑面とで挟圧して固定するので、刷版の位置合わせを極めて正確に簡単にできるから、刷版の交換を短時間に行うことができて、小ロットの印刷ニーズに合わせて印刷装置の稼働率を上げることができる。また、段差凸部と爪とで刷版の巻き始め端に段差部を折り曲げ形成して刷版の巻き始め端を爪と平滑面とで挟圧して固定する構成であるので、刷版の巻き始め端の固定を無理なく極めて強固に確実に行えるから、刷版の巻き終わり端を版胴本体に固定する際に刷版を版胴本体に巻き付けるために刷版を巻き終わり端側で引っ張って刷版に十分な緊張を与えても刷版の巻き始め端の固定がずれることがない。
【考案の効果】
【００１０】
本考案によれば、刷版の巻き始め端には折り曲げ加工を施さずに複数の位置決め用切り欠きを形成し、この位置決め用切り欠きを位置決めピンに係合させて位置決めを行い固定する。
また、刷版の巻き始め端に段差部を折り曲げ形成して刷版の巻き始め端を爪と平滑面とで挟圧して固定する構成であるので、刷版の位置合わせを極めて正確に簡単にできるから、刷版の交換を短時間に行うことができて、小ロットの印刷ニーズに合わせて刷版の交換を短時間に行うことができて、小ロットの印刷ニーズに合わせて印刷装置の稼働率を上げることができる。
【考案を実施するための最良の形態】
【００１１】
以下、本考案の実施の形態の間欠輪転オフセット印刷装置を図面を参照して説明する。
図１は、第１の実施の形態の間欠輪転オフセット印刷装置を全体正面図を示す。
図１に示す間欠輪転オフセット印刷装置は、給紙部２１と、インキ色の異なる複数組、図では６組の印刷部２２，２３，２４，２５，２６，２７と、ダイカットロール部２９と、印刷部２２〜２７及びダイカットロール部２８を挟んでウエブに間欠往復走行を与える一対のグリップロール２９，３０と、各印刷部の下流側に設置されるＵＶ照射乾燥部（図示しない）と、巻取部３１を備え、これらにウェブＷを順次通紙させ、色を重ね合わせることで多色印刷を行なうことができるように構成されている。
【００１２】
図２は図１における印刷部２３の概略拡大図である。印刷部２３〜２４も、印刷部２２と同一の構成である。
印刷部２２は、非真円の版胴本体３５の周面に巻かれる刷版３６の巻き始め端縁と巻き終わり端縁を固定してなる版胴と、刷版３６に対して画線部以外の部分に浸し水を与える浸し装置３７と、刷版３６に対して接触回転して画線部にインキを供給するインキング装置３８と、刷版３６に接触して転がり回転するブランケット胴３９と、ブランケット胴３９の円周部に対して印圧を加えて転がり回転する圧胴４０を有し、刷版３６の画線部に供給するインキをブランケット胴３９に転移しさらにブランケット胴３９と圧胴４０の間に通す被印刷対象のウエブＷに転移・印刷するように構成されている。
【００１３】
インキング装置３８は、インキつぼ３８ａに供給されるインキを、インキローラ群３８ｂに順次転移する過程で適度に練った後、インキ着けローラ３８ｃを介しインキ被膜として刷版３６へ転移供給する。
刷版３６は、例えばアルミニューム板にジアゾ乳剤を主成分とするネガ型感光剤をコートしてなり、画像焼付けして非画線部（アルミ地肌面）が親水性であり、画線部のレジスト面が親油性である。
刷版３６は、画線部に転写されたＵＶインキをブランケット胴３９の外周面に転写し、さらに、ブランケット胴３９は、転写されたＵＶインキを圧胴４０との間に挟まれて走行するウェブＷへ転写して印刷を行う。
【００１４】
印刷部２２〜２７は、６色刷りの間欠輪転オフセット印刷装置を構成しており、版胴とブランケット胴３９は、非真円（円周の一側が凹んでいる）、圧胴４０は真円である。
グリップロール２９，３０は、刷版３６とブランケット胴３９と圧胴４０とが一回転よりも小さい一定角度で往回転方向に転がり回転して印刷を行うとき、同期して回転してウエブＷを一定ストローク前方へ送り、そして、ブランケット胴３９の扁平部が圧胴４０側に来て圧胴４０から離れるときには、前記一回転よりも小さい一定角度で復回転してウエブＷを前方へ送るストロークよりも短いストロークだけ戻すようになっている。間欠輪転オフセット印刷装置は、これを反復することにより、リピート長の小さい印刷を行う。
【００１５】
図３は版胴の概略拡大断面図である。
この実施形態の版胴は、版胴本体３５の一側に版胴本体円Ｓよりも所要凹んでいる刷版固定部３５ａを形成し、この刷版固定部３５ａの一側に第１固定手段５０を設けると共に、この刷版固定部３５ａの他側に第２固定手段６０を設け、刷版３６の巻き始め端３６ａを第１固定手段５０で固定して，この版胴本体３５に刷版３６を巻いていき，第２固定手段６０で刷版３６に緊張を与えて巻き終わり端３６ｂを固定するように構成されている。
【００１６】
この第１固定手段５０は、前記刷版固定部３５ａに形成された平滑面５１と、この平滑面５１の版胴本体３５周面に近い位置にこの平滑面５１により僅少寸法高く形成された段差凸部５２と、前記平滑面５１の段差凸部５２に寄った位置に突出していて前記版胴本体３５の一母線方向に離れた複数の位置決めピン５３と、前記位置決めピン５３よりも前記段差凸部５２に対して離れた位置に平滑面５１より突出していて前記版胴本体３５の一母線方向に離れた複数のスタッドボルト５４と、前記位置決めピン５３及び前記スタッドボルト５４に嵌合して上下に案内される外方から挟圧する爪５５と、この爪５５を前記平滑面５１へ密着する方向に移動させて固定状態にする締付ナット５６と座金５７とばね座金５８とを有して構成されている。
【００１７】
この第１固定手段５０は、締付ナット５６を弛めて爪５５を持ち上げて、爪５５と平滑面５１との間に隙間を空けて、この隙間に刷版３６の巻き始め端を差込みかつ刷版３６の巻き始め端に形成した複数の位置決め用切り欠き３６ｃを位置決めピン５３にぴったり係合させるだけで、刷版３６の巻き始め端の精密な位置決めを行うことができて、位置決め用切り欠き３６ｃが位置決めピン５３から離れないように刷版３６を抑えて、締付ナット５６を締め付けるものである。
すると、段差凸部５２と爪５５とで刷版３６の巻き始め端に段差部３６ｃを折り曲げ形成して刷版３６の巻き始め端３６ａを爪５５と平滑面５１とで挟圧して固定することができる。段差部３６ｃが形成されることで、刷版３６の巻き始め端は、外方へ強く引き出そうとする外力が働いても、爪５５と平滑面５１とによる刷版３６の巻き始め端３６ａの挟圧固定が有効に作用し、刷版３６の巻き始め端の固定がずれることがなく、精密な位置決めが保障される。
【００１８】
第２固定手段６０は、母線方向に延びた深いスリットを有する回転可能な軸体６１と、この軸体の回転を固定する固定手段６２とからなる。
この固定手段６２は、ワンウエイクラッチベアリングを用いることが好ましいが、その他、適宜の構成を採用することができる。固定手段６２としてワンウエイクラッチベアリングを用いる場合には、外輪を締付固定・解除可能に設けて内輪の回転可能な方向を巻取り方向に合わせるものとする。
第２固定手段６０は、軸体６１のスリットに刷版３６の４５°に折り返し加工を施した巻き終わり端３６ｂを差込んで図３に示すように刷版３６が版胴本体３５に対して弛んでいて密着していない状態から、軸体６１を巻取り方向に回転して、図４に示すように、軸体６１で刷版３６を巻き込んで、この刷版３６を版胴本体３５に対して密着し緊張状態とし、軸体６１を回転不能に固定する。
【００１９】
上記のように、第１固定手段５０と第２固定手段６０とで刷版３６を版胴本体３５に巻き付けて、上記のように印刷を行う。
印刷終了後は、第１固定手段５０と第２固定手段６０を弛めて次に印刷するために使用する刷版と交換する。
【００２０】
本考案は、上記の実施形態に限定されるものでなく、要旨を逸脱しない範囲の種々の設計変更を含むものである。
ブランケット胴３９について、版胴とほぼ同一の構成としてブランケット（ゴム）をブランケット胴本体に巻き付ける構成とした場合も含む。
爪５５を締め付ける手段は、スタッドボルト５４と締付ナット５６の組み合わせに限定されない。爪５５を締め付ける手段として、倍力リンク機構などを用いても良い。また、上記実施形態では、版胴本体３５にリーマ孔を開けて位置決めピン５３を強制嵌入しているが、爪５５に一体に設けて、版胴本体３５にリーマ孔にスライド可能に嵌合していても良い。
【図面の簡単な説明】
【００２１】
【図１】本考案の実施形態の間欠輪転オフセット印刷装置を全体正面図を示す。
【図２】図１における印刷部の概略拡大図である。
【図３】刷版が弛んでいる版胴の概略拡大断面図である。
【図４】刷版が緊張している版胴の概略拡大断面図である。
【図５】従来の版胴の部分拡大断面図である。
【符号の説明】
【００２２】
３５  版胴本体
３６  刷版
５０  第１固定手段
５１  平滑面
５２  段差凸部
５３  位置決めピン
５４，５６  スタッドボルト、締付ナット（締付手段）
５５  爪
６０  第２固定手段
【図１】
0003125749.tif 000003
【図２】
0003125749.tif 000004
【図３】
0003125749.tif 000005
【図４】
0003125749.tif 000006
【図５】
0003125749.tif 000007